(57)【特許請求の範囲】
【請求項１】
室内ユニット本体の背面に据付用の係止部を設け、部屋の壁面に固定された据付板のフック部に前記係止部を係止させることにより前記室内ユニット本体を部屋の壁面に据え付ける空気調和機の室内ユニットにおいて、
前記係止部は前面に係止用空間を有し、下側だけが開放された形状とし、前記据付板は前方に突出した先端が真っ直ぐなフック部を有し、前記フック部の一部の先端を後方に曲げた後曲部を形成して配管作業時のユニット脱落を防止する構造とし、前記室内ユニット本体を傾斜させて支え、前記室内ユニット本体の配管を室外ユニットの配管と接続する作業時、前記室内ユニット本体が傾斜することにより前記係止部先端の下端部が回転し、前記据付板の後曲部先端より後曲部根元側へ入り込み、前記室内ユニット本体の上方向への規制を行う構成としたことを特徴とする空気調和機の室内ユニット。
【請求項２】
前記係止部が破損した場合に前記係止部を受け、常時は前記室内ユニット本体に触れずに荷重が加わらない補助フック部を前記据付板に備え、前記補助フック部の一部を後方に曲げて前記後曲部を形成したことを特徴とする請求項１に記載の空気調和機の室内ユニット。
【請求項３】
前記据付板の後曲部の曲げ角度を、後方へほぼ９０度としたことを特徴とする請求項１に記載の空気調和機の室内ユニット。
【請求項４】
前記据付板のフック部の近傍に、前記フック部の強度を上げる補強手段を設けたことを特徴とする請求項１又は請求項２に記載の空気調和機の室内ユニット。
【請求項５】
前記補強手段を凹凸形状としたことを特徴とする請求項４に記載の空気調和機の室内ユニット。
【請求項６】
前記据付板の後曲部先端を密着曲げとしたことを特徴とする請求項１又は請求項２に記載の空気調和機の室内ユニット。
【請求項７】
前記係止部の先端に、前記室内ユニット本体の脱落防止手段を設けたことを特徴とする請求項１又は請求項２に記載の空気調和機の室内ユニット。
【請求項８】
前記脱落防止手段を、前記室内ユニット本体側に突出した凸形状で構成したことを特徴とする請求項７に記載の空気調和機の室内ユニット。
【請求項９】
前記係止部の上方に、油付着防止手段を設けたことを特徴とする請求項１又は請求項２に記載の空気調和機の室内ユニット。
【請求項１０】
前記油付着防止手段を、前記係止部上面を２重壁構造とすることにより構成したことを特徴とする請求項１０に記載の空気調和機の室内ユニット。
【発明の詳細な説明】
【０００１】
【発明の属する技術分野】
この発明は、機器の据付構造に関するもので、空気調和機の室内ユニットを機器の一例として説明する。特に壁等への据付部の強度及び据付作業性を高くする技術に関するものである。
【０００２】
【従来の技術】
図９は従来の空気調和機の室内ユニットを示す側断面図と斜視図である。図において、１は室内ユニット本体であり、ベース２は室内ユニット本体１を壁へ設置する際に据付板３と係止する部品である。ベース２には係止部２ｇが設けられ、係止部２ｇは室内ユニット本体１を壁面に固定するための支えとなる部分である。係止部２ｇの前面に係止用空間２ｂを設け、係止用空間２ｂに据付板３の前方に突出したフック部３ａが係合し、ユニット本体前方向の支えとなっている。
【０００３】
係止部２ｇの両端はベース２と一体化されている。据付板３は壁にネジなどにより固定されユニット本体１を支えている。また、室内ユニット本体１は受け面２ｈで上下方向の荷重を据付板３に支えられている。断熱材８は冷房時の冷えた室内ユニット本体１表面への着露を防ぐものであり、発泡材などにより形成されている。
【０００４】
図１０は従来の空気調和機の室内ユニットの据付作業状態を示す側断面図である。図において、保持材５は配管４を室外ユニットの配管と接続する作業をするために、据付板３とベース２の間でユニット本体１を傾斜させ支えているものである。また、脱落防止用リブ２ａは傾斜した状態のユニット本体１が上側にずれないようにするためのものであり、据付板３の上部先端の前面に折り曲げた前曲部３ｂが掛かる形状となっている。その際、受け面２ｈでユニット本体１を支えている。また、係止用空間２ｂは係止部２ｇと脱落防止用リブ２ａを金型による成形にて形成するため、上下が開放した貫通形状となっている。
【０００５】
次に動作について説明する。
図９に示すように、室内ユニット本体１は、ベース２の係止部２ｇが壁にネジ固定された据付板３のフック部３ａに係合し壁面に固定されている。その際、受け面２ｈでユニット本体１を支えている。係止部２ｇはこのようにフック部３ａが係止するため、前面に係止用空間２ｂが形成されている。このように支えられた状態で配管４の接続作業を行うためには、図１０のようにユニット本体１を傾斜させ配管４のまわりに作業できる空間をつくる必要がある。
【０００６】
そのためには据付板３とベース２の間を保持材５にて室内ユニット本体１を支え傾斜保持させる。その際、傾斜保持された室内ユニット本体１が作業者の体に触れ据付板３から脱落しないようにする必要がある。そのために脱落防止用リブ２ａが据付板３の上端で前方向に折り曲げた前曲部３ｂに係止している。また、脱落防止用リブ２ａと係止用空間２ｂを金型による成形にて形成するために、係止用空間２ｂは上下方向が貫通した形状となっている。
【０００７】
【発明が解決しようとする課題】
従来の空気調和機の室内ユニットは以上のように構成されているので、上下に貫通した係止用空間２ｂがあるため強度のある形状を形成できなかったり、大気中に浮遊する油性分が係止用空間２ｂの開口部を通り据付板３との係止部２ｇに付着し、その部分が材料劣化を起こすという問題点があった。
【０００８】
また、室内ユニット本体１を据付板３に掛ける際に、据付板３上部の前面に折り曲げた前曲部３ｂが室内ユニット本体１の背面にある断熱材８に当たり破損させる可能性が大きいという問題点もあった。
【０００９】
この発明は上記のような問題点を解消するためになされたもので、室内ユニット本体上部の穴構造の廃止により、材料劣化を抑制すると共に、室内ユニット本体の据付板との係合部の強度を改善し、また据付板形状に関しても前面への折り曲げがなく、断熱材の破損も低減できる空気調和機の室内ユニットを提供することを目的とする。
【００１０】
また、機器本体上部の穴構造の廃止により、材料劣化を抑制すると共に、機器本体の据付板との係合部の強度を改善し、また据付板形状に関しても前面への折り曲げがなく、断熱材の破損も低減できる機器の据付構造を提供することを目的とする。
【００１１】
また、前面への折り曲げがなく、機器の破損を低減できる据付板を提供することを目的とする。
【００１２】
【課題を解決するための手段】
この発明に係る空気調和機の室内ユニットは、室内ユニット本体の背面に据付用の係止部を設け、部屋の壁面に固定された据付板のフック部に係止部を係止させることにより室内ユニット本体を部屋の壁面に据え付ける空気調和機の室内ユニットにおいて、係止部は前面に係止用空間を有し、下側だけが開放された形状とし、据付板は前方に突出した先端が真っ直ぐなフック部を有し、フック部の一部の先端を後方に曲げた後曲部を形成して配管作業時のユニット脱落を防止する構造とし、室内ユニット本体を傾斜させて支え、室内ユニット本体の配管を室外ユニットの配管と接続する作業時、室内ユニット本体が傾斜することにより係止部先端の下端部が回転し、据付板の後曲部先端より後曲部根元側へ入り込み、室内ユニット本体の上方向への規制を行う構成としたことを特徴とする。
【００１３】
また、この発明に係る空気調和機の室内ユニットは、係止部が破損した場合に係止部を受け、常時は室内ユニット本体に触れずに荷重が加わらない補助フック部を据付板に備え、補助フック部の一部を後方に曲げて後曲部を形成したことを特徴とする。
【００１４】
また、この発明に係る空気調和機の室内ユニットは、据付板の後曲部の曲げ角度を、後方へほぼ９０度としたことを特徴とする。
【００１５】
また、この発明に係る空気調和機の室内ユニットは、据付板のフック部の近傍に、フック部の強度を上げる補強手段を設けたことを特徴とする。
【００１６】
また、この発明に係る空気調和機の室内ユニットは、補強手段を凹凸形状としたことを特徴とする。
【００１７】
また、この発明に係る空気調和機の室内ユニットは、据付板の後曲部先端を密着曲げとしたことを特徴とする。
【００１８】
また、この発明に係る空気調和機の室内ユニットは、係止部の先端に、室内ユニット本体の脱落防止手段を設けたことを特徴とする。
【００１９】
また、この発明に係る空気調和機の室内ユニットは、脱落防止手段を、室内ユニット本体側に突出した凸形状で構成したことを特徴とする。
【００２０】
また、この発明に係る空気調和機の室内ユニットは、係止部の上方に、油付着防止手段を設けたことを特徴とする。
【００２１】
また、この発明に係る空気調和機の室内ユニットは、油付着防止手段を、係止部上面を２重壁構造とすることにより構成したことを特徴とする。
【００２２】
【発明の実施の形態】
以下、この発明の実施の形態を、機器の一例として空気調和機の室内ユニットについて図面に基づいて説明する。
実施の形態１．
図１、２は実施の形態１を示す図で、図１は空気調和機の室内ユニットを示す側断面図と斜視図、図２は空気調和機の室内ユニットの据付作業状態を示す側断面図である。図において、１は室内ユニット本体であり、ベース２は室内ユニット本体１を壁へ設置する際に据付板３と係止する部品である。ベース２には係止部２ｇが設けられ、係止部２ｇは室内ユニット本体１を壁面に固定するための支えとなる部分である。係止部２ｇの前面に係止用空間２ｂを設け、係止用空間２ｂに据付板３の前方に突出した先端に曲げのないフック部３ａが係合し、そのフック部３ａの先端が上端部２ｃに当たり、前、上下方向の荷重を受けている。係止部２ｇの上端と両端はベース２と一体化されている。据付板３は壁にネジなどにより固定され室内ユニット本体１を支えている。
【００２３】
図２において、保持材５は配管４を室外ユニットの配管と接続する作業をするために、据付板３とベース２の間で室内ユニット本体１を傾斜させ支えているものである。係止部２ｇは傾斜した状態の室内ユニット本体１が上側にずれないようにするための機能もあり、斜めになった室内ユニット本体１により係止部２ｇ先端の下端部２ｊが回転し、据付板３の後曲部３ｃ先端を覆うようになり、上方向への規制を行うものである。その際、室内ユニット本体１の上下方向の荷重は受け面２ｈで支えられている。また、係止部２ｇを金型による成形にて形成するため、上端部２ｃより下側開口部２ｄの巾が大きな形状となっており、下側だけが開放した形状となっている。
【００２４】
次に動作について説明する。
図１に示すように、室内ユニット本体１は、ベース２の係止部２ｇが壁にネジ固定された据付板３のフック部３ａに係合し、そのフック部３ａ先端が上端部２ｃに当たり、前、上下方向の荷重を受け壁面に支えられている。係止部２ｇはこのようにフック部３ａが係止するため、前面の係止用空間２ｂは上端部２ｃより下側開口部２ｄの巾が大きな形状となっており、下側だけが開放した形状となっている。
【００２５】
このように支えられた状態で配管４の接続作業を行うためには、図２のように室内ユニット本体１を傾斜させ配管４のまわりに作業できる空間をつくる必要がある。そのためには据付板３とベース２の間を保持材５にて室内ユニット本体１を支え傾斜保持させる。その際、傾斜保持された室内ユニット本体１が作業者の体に触れ据付板３から脱落しないようにする必要がある。そのために斜めになった室内ユニット本体１により係止部２ｇ先端の下端部２ｊが回転し、後曲部３ｃ先端を覆うようになり、上方向への規制を行うものである。その際、室内ユニット本体１の上下方向の荷重は受け面２ｈで支えられている。
【００２６】
上述の実施の形態によれば、係止部２ｇ前面の係止用空間２ｂは、下側だけが開放した形状となっているので、大気中に浮遊する油成分による係止部２ｇの材料劣化を防止できる。また、係止部を強度のある形状とすることができる。さらに、据付板３のフック部３ａは先端に曲げがないので、室内ユニット本体１を据付板３へ掛ける際に室内ユニット本体１背面の断熱材８の破損を低減できる。
【００２７】
実施の形態２．
図３は実施の形態２を示す図で、空気調和機の室内ユニットを示す正面図、側断面図である。図に示すように、据付板３の両端にはフック部３ａを形成し、Ｙ−Ｙ線断面図に示すように、それぞれ係止部２ｇとの係合により室内ユニット本体１を支える。
【００２８】
片方の係止部２ｇが何らかの原因で破損した場合でも、室内ユニット本体１が脱落しないようにするため、中央には補助フック部３ｄがある。Ｚ−Ｚ線断面図に示すように、この補助フック部３ｄは室内ユニット本体１据付後には荷重が加わらないように直接ベース２に触れない構造となっているが、前記両端の係止部２ｇが破損した場合には係止部２ｇを受けるものである。
【００２９】
常時は荷重のかからない補助フック部３ｄに後曲部３ｃを設けることにより、据付後に室内ユニット本体１の荷重により後曲部３ｃが変形しないようにすることができる。
【００３０】
実施の形態３．
図４は実施の形態３を示す図で、空気調和機の室内ユニットを示す部分断面図である。図に示すように、据付板３の後曲部３ｃの曲げ角度が、後方へほぼ９０度にすることにより、後曲部３ｃの係止部２ｇとの接触角度がユニットの脱落方向に対して抵抗を増すようにしたので、脱落が起きにくい。
【００３１】
実施の形態４．
図５は実施の形態４を示す図で、空気調和機の室内ユニットを示す部分断面図である。図に示すように、据付板３のフック部３ａの近傍に凹凸形状６を形成することにより、フック部３ａの強度を向上させることができる。但し、凹凸形状６は補強手段の一例であり、他の形状でもよい。
【００３２】
実施の形態５．
図６は実施の形態５を示す図で、空気調和機の室内ユニットを示す部分断面図である。図に示すように、据付板３のフック部３ａの後曲部３ｃ先端を密着曲げ３ｅとし、この部分の強度アップとエッジによる怪我防止を可能とした。
【００３３】
実施の形態６．
図７は実施の形態６を示す図で、空気調和機の室内ユニットを示す部分断面図である。図に示すように、室内ユニット背面の係止部２ｇ先端を凸形状２ｅとすることにより、更に室内ユニット本体１が脱落しにくくなる。
【００３４】
実施の形態７．
図８は実施の形態７を示す図で、空気調和機の室内ユニットを示す部分断面図である。図に示すように、室内ユニット背面の係止部２ｇ上面を２重壁２ｆとすることにより、大気中の油７が係止部２ｇへ直接付着し難いようにして、係止部２ｇの材料劣化を抑制することができる。
【００３５】
上述の実施の形態では、空気調和機の室内ユニットについて説明したが、本発明はそれに限定されるものではなく、その他の機器の壁面への据付にも適用できる。
【００３６】
【発明の効果】
この発明に係る空気調和機の室内ユニットは、係止部は前面に係止用空間を有し、下側だけが開放された形状とし、据付板は前方に突出した先端が真っ直ぐなフック部を有し、フック部の一部の先端を後方に曲げた後曲部を形成して配管作業時のユニット脱落を防止する構造とし、室内ユニット本体を傾斜させて支え、室内ユニット本体の配管を室外ユニットの配管と接続する作業時、室内ユニット本体が傾斜することにより係止部先端の下端部が回転し、据付板の後曲部先端より後曲部根元側へ入り込み、室内ユニット本体の上方向への規制を行う構成としたことにより、係止部の材料劣化を抑制すると共に、室内ユニット本体の据付板との係合部の強度を改善し、また据付板形状に関しても前面への折り曲げがなく、断熱材の破損も低減できる。また、配管接続作業時の室内ユニット本体の脱落を防止できる。
【００３７】
また、この発明に係る空気調和機の室内ユニットは、補助フック部の一部を後方に曲げて後曲部を形成したことにより、据付後に室内ユニット本体の荷重により後曲部が変形しないようにすることができる。
【００３８】
また、この発明に係る空気調和機の室内ユニットは、据付板の後曲部の曲げ角度を、後方へほぼ９０度としたことにより、室内ユニット本体の脱落が起きにくい。
【００３９】
また、この発明に係る空気調和機の室内ユニットは、据付板のフック部の近傍に、フック部の強度を上げる補強手段を設けたことにより、フック部の強度を向上させることができる。
【００４０】
また、この発明に係る空気調和機の室内ユニットは、補強手段を凹凸形状としたことにより、フック部の強度を向上させることができる。
【００４１】
また、この発明に係る空気調和機の室内ユニットは、据付板の後曲部先端を密着曲げとしたことにより、後曲部先端の強度が向上し、エッジによる怪我を防止できる。
【００４２】
また、この発明に係る空気調和機の室内ユニットは、係止部の先端に、室内ユニット本体の脱落防止手段を設けたことにより、更に室内ユニット本体が脱落しにくくなる。
【００４３】
また、この発明に係る空気調和機の室内ユニットは、脱落防止手段を、室内ユニット本体側に突出した凸形状で構成したことにより、更に室内ユニット本体が脱落しにくくなる。
【００４４】
また、この発明に係る空気調和機の室内ユニットは、係止部の上方に油付着防止手段を設けたことにより、係止部の材料劣化を抑制することができる。
【００４５】
また、この発明に係る空気調和機の室内ユニットは、油付着防止手段を、係止部上面を２重壁構造とすることにより構成したことにより、係止部の材料劣化を抑制することができる。
【図面の簡単な説明】
【図１】  実施の形態１を示す図で、空気調和機の室内ユニットを示す側断面図と斜視図である。
【図２】  実施の形態１を示す図で、空気調和機の室内ユニットの据付作業状態を示す側断面図である。
【図３】  実施の形態２を示す図で、空気調和機の室内ユニットを示す正面図、側断面図である。
【図４】  実施の形態３を示す図で、空気調和機の室内ユニットを示す部分断面図である。
【図５】  実施の形態４を示す図で、空気調和機の室内ユニットを示す部分斜視図である。
【図６】  実施の形態５を示す図で、空気調和機の室内ユニットを示す部分断面図である。
【図７】  実施の形態６を示す図で、空気調和機の室内ユニットを示す部分断面図である。
【図８】  実施の形態７を示す図で、空気調和機の室内ユニットを示す部分断面図である。
【図９】  従来の空気調和機の室内ユニットを示す側断面図と斜視図である。
【図１０】  従来の空気調和機の室内ユニットの据付作業状態を示す側断面図である。
【符号の説明】
１  室内ユニット本体、２  ベース、２ｂ  係止用空間、２ｃ  上端部、２ｄ  下側開口部、２ｅ  凸形状、２ｆ  ２重壁、２ｇ  係止部、２ｈ  受け面、２ｊ  下端部、３  据付板、３ａ  フック部、３ｃ  後曲部、３ｄ  補助フック部、３ｅ  密着曲げ、４  配管、５  保持材、６  凹凸形状、７  油、８  断熱材。
【図１】
0003898055.tif 000002
【図２】
0003898055.tif 000003
【図３】
0003898055.tif 000004
【図４】
0003898055.tif 000005
【図５】
0003898055.tif 000006
【図６】
0003898055.tif 000007
【図７】
0003898055.tif 000008
【図８】
0003898055.tif 000009
【図９】
0003898055.tif 000010
【図１０】
0003898055.tif 000011